(57)【要約】【課題】ミシン糸である上糸を巻いたコマと下糸を巻いたボビンとを一緒に収納することができるとともに、上糸、下糸ともに糸が解けることを防ぐことができ、上糸用コマに関する使い勝手および移動性に関する使い勝手も向上させることのできるミシン糸収納具を提供する。【解決手段】上糸３１を巻いたコマ３０と、下糸４１を巻いたボビン４０とを一緒に収納するためのミシン糸収納具であり、平板状の基部１０と、基部１０に立設され、コマ３０の中心孔３２およびボビン４０の中心孔４２に挿通される棒体２０と、棒体２０に設けられた糸保持用のスリット２１とを備え、スリット２１は、棒体２０の先端２２から基部１０に向かって、棒体２０にコマ３０が装着されたときにコマ３０によって覆われる位置２３まで設けられている。突出部Ｈ５を指先にて摘まむことができる。【選択図】図５
2017051563.tif 000002
【特許請求の範囲】
【請求項１】
上糸（３１）を巻いたコマ（３０）と、下糸（４１）を巻いたボビン（４０）とを一緒に収納するためのミシン糸収納具であって、
平板状の基部（１０）と、
この基部（１０）に立設され、前記コマ（３０）の中心孔（３２）および前記ボビン（４０）の中心孔（４２）に挿通される棒体（２０）と、
この棒体（２０）に設けられた、糸保持用のスリット（２１）とを備え、
前記スリット（２１）は、棒体（２０）の先端（２２）から前記基部（１０）に向かって、棒体（２０）に前記コマ（３０）が装着されたときに該コマ（３０）によって覆われる位置（２３）まで設けられていることを特徴とするミシン糸収納具。
【請求項２】
請求項１において、
前記棒体（２０）は、該棒体（２０）に前記コマ（３０）およびボビン（４０）が装着されたときに、コマ（３０）およびボビン（４０）よりも突出して、該突出部（Ｈ５）を指先にて摘まむことができるだけの長さを有していることを特徴とするミシン糸収納具。
【発明の詳細な説明】
【技術分野】
【０００１】
本発明は、ミシン糸である上糸を巻いたコマと、下糸を巻いたボビンとを一緒に収納するためのミシン糸収納具に関するものである。
【背景技術】
【０００２】
一般に、ミシンを使って作品を作るには、生地によって、糸の色、糸の太さを選ぶ必要がある。上糸と下糸とを正しく選ぶことが作品を綺麗に仕上げるコツでもある。
したがって、適切な上糸を巻いたコマと適切な下糸を巻いたボビンとをセットにして収納しておくことができれば、次に使うときに大変便利である。
【０００３】
そこで従来、例えば特許文献１に見られるように、円板（１）の両端に、先端部をバネ状にした突起部（２）（３）を設け、突起部（２）（３）に、下糸を巻いたボビン（５）の中心孔と、上糸（４）を巻いたコマの中心孔とを指し込んで、上糸を巻いたコマと、下糸を巻いたボビンとを連結して一緒に収納できるようにした連結具が知られている。
【０００４】
しかしこの連結具では、ボビンに巻かれた下糸の端部をどのようにするかについては考慮されていなかった。
したがって、ボビンに巻かれた下糸が解けやすいという難点があった。
【０００５】
なお、上糸が巻かれるコマには、通常、巻かれた上糸の端部を保持するための切り込み等の糸端掛け部が設けられているから、上糸（４）を巻いたコマについては、糸端掛け部に糸端部を掛けてから連結具に連結すれば良い。だだし、上糸を巻いたコマに設けられている糸掛け部は必ずしも使い勝手が良くはないという難点を有している。
【０００６】
また、従来、例えば特許文献２に見られるように、支柱（１）の周りを廻る円形の平板（２）の上に、複数のボビン保持棒（３）が設けられていて、上糸用コマ（４）と下糸用ボビン（５）の中心孔を、ボビン保持棒（３）に重ねて挿入し収納することができ、ボビン保持棒（３）の上端近辺には、糸止め部用の切れこみ（３ｂ）が形成されていて、ボビンに巻いた糸が解けることを防ぐことができるようにしたミシン糸用ボビン保持装置も知られている。
【０００７】
このミシン糸用ボビン保持装置によれば、上糸用コマ（４）と下糸用ボビン（５）とを一緒に収納することができるし、ボビンに巻いた糸が解けることを防ぐこともできる。
【０００８】
また、このミシン糸用ボビン保持装置によれば、上糸用コマ（４）に巻かれた上糸の端部も、ボビン保持棒（３）の上端近辺に設けた糸止め部用の切れこみ（３ｂ）に掛け止めすることが可能であると思われるから、上糸用コマ（４）に関する使い勝手の改善も図ることができるようにも思われる。
【０００９】
しかし、その場合、上糸用コマ（４）に巻かれた上糸はボビン５を乗り越えるようにして切れこみ（３ｂ）に掛け止められるから、上糸はコマ（４）の軸線方向に斜めに引かれるような状態となり、コマ（４）のフランジ部から外れて大きな弛みが生じやすくなるため、使い勝手は良くはならない。
【００１０】
また、上糸用コマ（４）と下糸用ボビン（５）とを１セットとして移動しようとした場合、ボビン保持棒（３）から上糸用コマ（４）と下糸用ボビン（５）とを外し、連結状態を解除した状態で移動しなければならないから、その点でも使い勝手に難点がある。
【先行技術文献】
【特許文献】
【００１１】
【特許文献１】実開平７−４３６００号公報
【特許文献２】特開２００３−１４４７８４号公報
【発明の概要】
【発明が解決しようとする課題】
【００１２】
本発明が解決しようとする課題は、ミシン糸である上糸を巻いたコマと下糸を巻いたボビンとを一緒に収納することができるとともに、上糸、下糸ともに糸が解けることを防ぐことができ、上糸用コマに関する使い勝手および移動性に関する使い勝手も向上させることのできるミシン糸収納具を提供することである。
【課題を解決するための手段】
【００１３】
上記課題を解決するために本発明のミシン糸収納具は、
上糸を巻いたコマと、下糸を巻いたボビンとを一緒に収納するためのミシン糸収納具であって、
平板状の基部と、
この基部に立設され、前記コマの中心孔および前記ボビンの中心孔に挿通される棒体と、  この棒体に設けられた、糸保持用のスリットとを備え、
前記スリットは、棒体の先端から前記基部に向かって、棒体に前記コマが装着されたときに該コマによって覆われる位置まで設けられていることを特徴とする。
このミシン糸収納具によれば、棒体をコマの中心孔およびボビンの中心孔に挿通するようにしてこの収納具にコマおよびボビンを装着することにより、コマとボビンとを一緒に収納することができる。
そして、糸保持用のスリットは棒体の先端から基部に向かって、棒体にコマが装着されたときに該コマによって覆われる位置まで設けられているので、棒体にコマを装着した際、スリットは、棒体先端側において露出することになる。
したがって、棒体にコマを装着した際、コマに巻かれている上糸の端部をスリットに通し、コマのすぐ近くに保持させることができる。上糸の端部をコマのすぐ近くに保持させることによって、上記従来技術に比べて上糸がコマのフランジ部から外れにくくなり、大きな弛みが生じにくくなる。
ボビンについては、コマを以上のようにして装着した後、上糸端部をコマとの間に挟むようにして棒体に装着し、ボビンに巻かれている下糸の端部をスリットに通し、ボビンのすぐ近くに保持させることができる。
上糸用コマと下糸用ボビンとを１セットとして移動する際には、これらが装着された収納具をそのまま移動させれば良い。
以上のように、このミシン糸収納具によれば、ミシン糸である上糸を巻いたコマと下糸を巻いたボビンとを一緒に収納することができるとともに、上糸、下糸ともに糸が解けることを防ぐことができ、上糸用コマに関する使い勝手および移動性に関する使い勝手も向上させることができる。
【００１４】
このミシン糸収納具においては、
前記棒体は、該棒体に前記コマおよびボビンが装着されたときに、コマおよびボビンよりも突出して、該突出部を指先にて摘まむことができるだけの長さを有している構成とすることができる。
このように構成すると、上糸用コマと下糸用ボビンとを１セットとして移動する際、棒体の突出部を摘まんで容易に移動することができる。
【図面の簡単な説明】
【００１５】
【図１】本発明に係るミシン糸収納具の一実施の形態を示す図で、（ａ）は平面図、（ｂ）は正面図、（ｃ）は部分拡大正面図。
【図２】（ａ）（ｂ）は使用方法を示す平面図と正面図。
【図３】（ａ）（ｂ）は使用方法を示す平面図と正面図。
【図４】（ａ）（ｂ）は使用方法を示す平面図と正面図。
【図５】（ａ）（ｂ）は使用方法を示す平面図と正面図。
【発明を実施するための形態】
【００１６】
以下、本発明に係るミシン糸収納具の実施の形態について図面を参照して説明する。なお、各図において、同一部分ないし相当する部分には、同一の符号を付してある。
【００１７】
図１〜図５に示すように、この実施の形態のミシン糸収納具１は、上糸３１を巻いたコマ３０と、下糸４１を巻いたボビン４０とを一緒に収納するためのミシン糸収納具である。
【００１８】
このミシン糸収納具１は、平板状の基部１０と、この基部１０に立設され、コマ３０の中心孔３２およびボビン４０の中心孔４２に挿通される棒体２０と、この棒体２０に設けられた、糸保持用のスリット２１とを備えている。
【００１９】
スリット２１は、棒体２０の先端２２から基部１０に向かって（図１（ｂ）において上から下に向かって）、棒体２０にコマ３０が装着されたときに該コマ３０によって覆われる位置２３まで設けられている。すなわち、図１，図２に示すように、基部１０からスリット２１の基板１０側端部（図では下端）２１Ｌまでの距離（高さ）をＨ１、コマ３０の軸線方向長さ（高さ）をＨ３としたとき、Ｈ１＜Ｈ３となるようにスリット２１を形成する。図１（ｂ）に仮想線で示すように、スリット２１は、その下端２１Ｌ’が基部１０（またはその近傍）に達するように形成することも可能である。
【００２０】
このミシン糸収納具１によれば、例えば図２〜図５に示すように、棒体２０をコマ３０の中心孔３２およびボビン４０の中心孔４２に挿通するようにして収納具１にコマ３０およびボビン４０を装着することにより、コマ３０とボビン４０とを一緒に収納することができる。
【００２１】
そして、糸保持用のスリット２１は棒体２０の先端２２から基部１０に向かって、棒体２０にコマ３０が装着されたときに該コマ３０によって覆われる位置２３まで設けられているので、図２に示すように、棒体２０にコマ３０を装着した際、スリット２１は、棒体２０の先端２２側において露出することになる。
【００２２】
したがって、図２から図３に示すように、棒体２０にコマ３０を装着した際、コマ３０に巻かれている上糸３１の端部３１ｂをスリット２１に通し、コマ３０のすぐ近く（コマ３０の上面近く）２４に保持させることができる。上糸３１の端部３１ｂをコマ３０のすぐ近く２４に保持させることによって、上記従来技術に比べて上糸３１がコマ３０のフランジ部３３から外れにくくなり、大きな弛みが生じにくくなる。
【００２３】
ボビン４０については、コマ３０を以上のようにして装着した後、図４に示すように上糸３１の端部３１ｂをコマ３０との間に挟むようにして棒体２０に装着し、図５に示すようにボビン４０に巻かれている下糸４１の端部４１ｂをスリット２１に通し、ボビン４０のすぐ近く（ボビン４０の上面近く）２５に保持させることができる。上糸４１の端部４１ｂをボビン４０のすぐ近く２５に保持させることによって、上糸４１がボビン４０のフランジ部４３から外れにくくなり、大きな弛みが生じにくくなる。
【００２４】
上糸３１用コマ３０と下糸４１用ボビン４０とを１セットとして移動する際には、これらが装着された収納具１（図５）をそのまま移動させれば良い。
【００２５】
以上のように、このミシン糸収納具によれば、ミシン糸である上糸３１を巻いたコマ３０と下糸４１を巻いたボビン４０とを一緒に収納することができるとともに、上糸３１、下糸４１ともに糸が解けることを防ぐことができ、上糸用コマ３０に関する使い勝手および移動性（コマ３０およびボビン４０の同時移動性）に関する使い勝手も向上させることができる。
【００２６】
図５に示すように、棒体２０は、該棒体２０にコマ３０およびボビン４０が装着されたときに、コマ３０およびボビン４０よりも突出して、該突出部（Ｈ５で示す範囲）を指先にて摘まむことができるだけの長さ（図１におけるＨ１＋Ｈ２）を有している。
このように構成すると、上糸用コマ３０と下糸用ボビン４０とを１セットとして移動する際、棒体２０の突出部（Ｈ５）を摘まんで容易に移動することができる。
【００２７】
コマ３０の軸線方向長さ（高さ）Ｈ３は、市販されているコマによって異なる。
したがって、基部１０からスリット２１の下端）２１Ｌまでの高さＨ１を決めるためのコマ３０の高さＨ３は、市販されているコマの高さのうち、最小高さを意味するものとする（最小高さのコマを基準とする）。具体的には、一般に市販されているコマの最小高さは約３６ｍｍであるので、基部１０からスリット２１の基板１０側端部（図では下端）２１Ｌまでの距離（高さ）Ｈ１は約３５ｍｍ以下とする。
【００２８】
また、突出部の長さＨ５を決めるためのコマ３０の高さＨ３は、市販されているコマの高さのうち、最大高さを意味するものとする（最大高さのコマを基準とする）。具体的には、一般に市販されているコマの最大高さは約５０ｍｍであり、ボビン４０の軸方向長さ（高さ）Ｈ４は一般に約１１ｍｍであるので、突出部の長さＨ５を約２０ｍｍとする場合には、棒体２０の長さ（Ｈ１＋Ｈ２）は（Ｈ３＋Ｈ４＋Ｈ５）＝５０＋１１＋２０＝８１（ｍｍ）以上とする。同じく、突出部の長さＨ５を約１０ｍｍとする場合には、棒体２０の長さ（Ｈ１＋Ｈ２）は（Ｈ３＋Ｈ４＋Ｈ５）＝５０＋１１＋１０＝７１（ｍｍ）以上とする。
【００２９】
また、一般に市販されているコマ３０の中心孔３２の直径は約７ｍｍ、ボビン４０の中心孔４２の直径は約６ｍｍであるので、棒体２０の直径Ｄ２（図１）は約５ｍｍとする。
【００３０】
棒体２０にコマ３０，ボビン４０を装着しやすいように、棒体２０の先端２２側にはテーパ２０Ｔをつける（図１）。先端２２の直径Ｄ１は３ｍｍ程度とする。
【００３１】
図１（ｃ）に示すように、棒体２０の先端２２は、スリット２１に糸の端部（３１ｂ、４１ｂ）を入れやすいように、スリット２１に向けてＶ字形に形成する。
【００３２】
基部１０は円板状である。
このミシン糸収納具１を複数用いて、コマ３０とボビン４０とを複数セット収納する際に、相隣接するミシン糸収納具１の基部１０同士が干渉しないようにするために、基部１０の外径Ｄ３はコマ３０の外径Ｄ４（図２）よりも小さくする。
一般に市販されているコマ３０の外径Ｄ４の最小径は約２９ｍｍであるので、基部１０の外径Ｄ３は約２８ｍｍ以下とする。基部１０の外径Ｄ３は約２８ｍｍ以下、Ｄ２（約５ｍｍ）以上であれば良いが、載置時の安定性を図るべく、１４ｍｍ以上、より好ましくは１６ｍｍ以上とするのが望ましい。
【００３３】
以上のようなミシン糸収納具１は、適宜の材料で作成することができる。例えば、合成樹脂（シリコン樹脂を含む）で一体形成することができる。
【００３４】
以上、本発明の実施の形態について説明したが、本発明は上記の実施の形態に限定されるものではなく、本発明の要旨の範囲内において適宜変形実施可能である。
【符号の説明】
【００３５】
１：    ミシン糸収納具
１０：    基部
２０：    棒体
２１：    スリット
２２：    先端
３０：    コマ
３１：    上糸
３２：    コマの中心孔
４０：    ボビン
４１：    下糸
４２：    ボビンの中心孔
Ｈ５：    突出部
【図１】
2017051563.tif 000003
【図２】
2017051563.tif 000004
【図３】
2017051563.tif 000005
【図４】
2017051563.tif 000006
【図５】
2017051563.tif 000007
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
一対の上糸（３１）を巻いたコマ（３０）と、下糸（４１）を巻いたボビン（４０）とを一緒に収納するためのミシン糸収納具であって、
単一の平板状の基部（１０）と、
この単一の基部（１０）に立設された単一の棒体であって、前記コマ（３０）の中心孔（３２）および前記ボビン（４０）の中心孔（４２）に挿通される棒体（２０）と、
この棒体（２０）に設けられた、糸保持用のスリット（２１）とを備え、
前記スリット（２１）は、棒体（２０）の先端（２２）から前記基部（１０）に向かって、棒体（２０）に前記コマ（３０）が装着されたときに該コマ（３０）によって覆われる位置（２３）まで設けられ、
前記棒体（２０）は、該棒体（２０）に前記コマ（３０）およびボビン（４０）が装着されたときに、コマ（３０）およびボビン（４０）よりも突出して、該突出部（Ｈ５）を指先にて摘まむことができるだけの長さを有し、
前記基部（１０）は円板状で、該基部（１０）の外径（Ｄ３）は前記コマ（３０）の外径（Ｄ４）よりも小さいことを特徴とするミシン糸収納具。
【請求項２】
請求項１において、
前記基部（１０）の外径（Ｄ３）は約２８ｍｍ以下、１４ｍｍ以上であることを特徴とするミシン糸収納具。
【手続補正２】
【補正対象書類名】明細書
【補正対象項目名】００１３
【補正方法】変更
【補正の内容】
【００１３】
上記課題を解決するために本発明のミシン糸収納具は、
一対の上糸を巻いたコマと、下糸を巻いたボビンとを一緒に収納するためのミシン糸収納具であって、
単一の平板状の基部と、
この基部に立設され、前記コマの中心孔および前記ボビンの中心孔に挿通される棒体と、  この単一の棒体に設けられたた単一の棒体であって、糸保持用のスリットとを備え、
前記スリットは、棒体の先端から前記基部に向かって、棒体に前記コマが装着されたときに該コマによって覆われる位置まで設けられ、
前記棒体は、該棒体に前記コマおよびボビンが装着されたときに、コマおよびボビンよりも突出して、該突出部を指先にて摘まむことができるだけの長さを有し、
前記基部は円板状で、該基部の外径は前記コマの外径よりも小さいことを特徴とする。
このミシン糸収納具によれば、棒体をコマの中心孔およびボビンの中心孔に挿通するようにしてこの収納具にコマおよびボビンを装着することにより、コマとボビンとを一緒に収納することができる。
そして、糸保持用のスリットは棒体の先端から基部に向かって、棒体にコマが装着されたときに該コマによって覆われる位置まで設けられているので、棒体にコマを装着した際、スリットは、棒体先端側において露出することになる。
したがって、棒体にコマを装着した際、コマに巻かれている上糸の端部をスリットに通し、コマのすぐ近くに保持させることができる。上糸の端部をコマのすぐ近くに保持させることによって、上記従来技術に比べて上糸がコマのフランジ部から外れにくくなり、大きな弛みが生じにくくなる。
ボビンについては、コマを以上のようにして装着した後、上糸端部をコマとの間に挟むようにして棒体に装着し、ボビンに巻かれている下糸の端部をスリットに通し、ボビンのすぐ近くに保持させることができる。
上糸用コマと下糸用ボビンとを１セットとして移動する際には、これらが装着された収納具をそのまま移動させれば良い。
以上のように、このミシン糸収納具によれば、ミシン糸である上糸を巻いたコマと下糸を巻いたボビンとを一緒に収納することができるとともに、上糸、下糸ともに糸が解けることを防ぐことができ、上糸用コマに関する使い勝手および移動性に関する使い勝手も向上させることができる。
また、前記棒体は、該棒体に前記コマおよびボビンが装着されたときに、コマおよびボビンよりも突出して、該突出部を指先にて摘まむことができるだけの長さを有しているので、上糸用コマと下糸用ボビンとを１セットとして移動する際、棒体の突出部を摘まんで容易に移動することができる。
【手続補正３】
【補正対象書類名】明細書
【補正対象項目名】００１４
【補正方法】変更
【補正の内容】
【００１４】
このミシン糸収納具においては、
前記基部の外径は約２８ｍｍ以下、１４ｍｍ以上とすることが望ましい。